(57)【要約】【課題】外枠で囲まれ、回転可能に保持された円盤を回転させながら円を描く定規には、円盤がスムーズに回転しないという根本的な問題があった。この問題を解決するために円盤の中心に回転軸を設けたが、このため、外枠で紙面をしっかりと押さえることができず、円を描く際に紙面が浮き上がってしまうというコンパスと同様の問題が発生した。この問題を解決するのが課題である。【解決手段】外枠の底部に紙押さえを設け、紙押さえを伸縮するスポンジ又はゴム等の弾性体にした。これによって、本定規を上から手で押し下げることにより、紙押さえで紙面を押さえるとともに、回転軸の先端が紙面を押し付けて回転の中心位置を固定するようにした。これによって、紙面が浮き上がることなく、また、円盤がスムーズに回転するので正確な円を迅速に描くことができる。【選択図】図１
2010125815.tif 000002
【特許請求の範囲】
【請求項１】
外枠と外枠で囲まれ回転可能に保持された回転体とから成り、前記回転体の中心からそれぞれ異なる距離に多数の子穴を設け、前記小穴に筆記具の芯部を差し込み、前記回転体を回転させながら紙面に円を描く定規に、前記外枠と前記回転体との間にボールベアリングを設けるとともに、前記回転体の中心部に回転軸を設けた円を描く定規において、
前記回転体の周辺部の上側に周辺に沿って凹型の溝を設け、前記溝に複数個のベアリングボールを入れ、前記ベアリングボールがはまるように前期外枠の上部下側に下向きに凹型の溝を周辺に沿って設け、一方で、前記外枠の底部下側に海綿体（スポンジ）の紙押さえを設け、前記外枠で囲まれた前記回転体を紙面の上に置いたときに、前記回転体が前記外枠の底部の上に乗った状態となり、前記ベアリングボールと前記外枠に設けた凹型の前記溝の底部とは接触せず、また、前記回転体の中心部に設けた前記回転軸の先端が紙面に接触せず、それぞれわずかな隙間（遊び）ができるように構成し、
前記外枠を上から手で押し下げることにより前記紙押さえで紙面を押さえるとともに、前記紙押さえが縮むことから前記回転軸の先端が紙面に接触し、さらに押し下げることにより前記回転体が相対的に持ち上げられるため、外枠の底部の上に乗っていた回転体は外枠の底部から離れ回転体と外枠の底部との間に隙間ができ、一方で、前記ベアリングボールと前記外枠に設けた凹型の前記溝の底部とが接触し、手で押し下げた力が前記ベアリングボールを介して前記回転体に伝わり、さらに前記回転軸に伝わり、前記回転軸の先端がピンポイントで紙面を押し付け、描く円の中心位置を固定できるようにしたことを特徴とする円を描く定規。
【請求項２】
紙押さえをゴム等の弾性体にした請求項１記載の円を描く定規。
【発明の詳細な説明】
【技術分野】
【０００１】
本発明は円を描くための定規に関する。
【背景技術】
【０００２】
円を描くための従来の技術にはコンパス、テンプレート、及び定規がある。コンパスは求める円の半径の長さにコンパスを合わせるのに手間取ったり、円を描く際に中心の位置がずれたり、紙面が浮きあがって描く線がずれたりして迅速に正確な円を描くことが難しかった。また、針を備えているため危険でもあった。テンプレートは求める円の大きさのテンプレートがなかったり、円の中心位置を合わせることができなかったりした。一方、円を描く定規は外枠で囲まれ回転可能に保持された円盤に、その中心からそれぞれ異なる距離に多数の子穴を設け、これらの小穴にシャープペンシル等の筆記具の芯部を差し込み、円盤を回転させながら紙面に円を描くものである（特許文献１、特許文献２、特許文献３参照）。しかし、円盤がスムーズに回転しないという根本的な問題があった。
【０００３】
この問題を解決するために、ボールベアリングを設け外枠と円盤との接触抵抗を減らしたもの（特許文献４、特許文献５参照）があるが、これだけでは根本的な問題の解決にはならない。そこで、円盤の中心に回転軸を設け、回転の中心位置を固定することにより、力のモーメントが働くようにしたもの（特許文献６）がある。これによって、円盤がスムーズに回転するようになった。しかし、円盤の中心に回転軸を設けたことにより、外枠で紙面をしっかりと押さえることができず、円を描く際に紙面が浮き上がって描く線がずれてしまうというコンパスと同様の問題が発生することとなった。
【０００４】
【特許文献１】実開平５−６０８９４号
【特許文献２】実開平６−６３３８６号
【特許文献３】特開平７−３１４９８９号
【特許文献４】実用新案登録第３０５４９５８号
【特許文献５】特開２００１−３０６８５号
【特許文献６】特開２００６−１８７８６５号
【発明の開示】
【発明が解決しようとする課題】
【０００５】
本発明は、外枠と外枠で囲まれ回転可能に保持された円盤等の回転体とから成り、円盤等の回転体を回転させながら円を描く定規に、外枠と円盤等の回転体との間にボールベアリングを設け外枠と円盤等の回転体との接触抵抗を減らすとともに、円盤等の回転体の中心部に回転軸を設け、回転の中心位置を固定するようにした円を描く定規において、回転軸を設けたことにより外枠で紙面をしっかりと押さえることができず、円を描く際に紙面が浮きあがって描く線がずれてしまうという問題を解決することが課題である。
【課題を解決するための手段】
【０００６】
円盤等の回転体の周辺部の上面に周辺に沿って凹型の溝を設け、この溝に複数個のベアリングボールを入れ、これらのベアリングボールがはまるように、外枠の上部下側に下向きに凹型の溝を周辺に沿って設ける。一方で、外枠の底部下側に伸縮する海綿体（スポンジ）又はゴム等の弾性体の紙押さえを設ける。そして、外枠で囲まれ回転可能に保持された円盤等の回転体を紙面の上に置いたときに、外枠で囲まれた円盤等の回転体が外枠の底部の上に乗った状態になり、ベアリングボールと外枠の上部に設けた凹型の溝の底部とは接触せず、また、円盤等の回転体の中心部に設けた回転軸の先端も紙面に接触せず、それぞれわずかな隙間（遊び）ができるように構成する。これらによって、外枠を上から手で押し下げることにより紙押さえで紙面をしっかりと押さえるとともに、紙押さえが縮むことから回転軸の先端が紙面に接触し、さらに押し下げることにより、回転体が相対的に持ち上げられるため外枠底部と外枠底部の上に乗った回転体とが離れ双方の間に隙間ができ、次に、ベアリングボールと外枠に設けた凹型の溝の底部とが接触し、その押し下げた力がベアリングボールを介して円盤等の回転体に伝わり、その力が回転軸に伝わり、回転軸の先端がピンポイントで紙面を押し付け、描く円の中心位置を固定できるようにした。
【発明の効果】
【０００７】
外枠を上から手で押し下げることにより、紙押さえで紙面をしっかりと押さえるため、円を描く際に紙面が浮き上がって線がずれてしまうという問題を解決するとともに、回転軸の先端がピンポイントで紙面を押し付け、描く円の中心位置を固定するため、力のモーメントが働き、円盤等の回転体が独楽のようにスムーズに回転するようになる。これらによって、大きな円から小さな円までいろいろな大きさの円を容易に、迅速に、かつ正確に描くことができるようになる。したがって、コンパスやテンプレートが不要となる。
【発明を実施するための最良の形態】
【０００８】
以下、本発明の実施の形態を実施例に基づき図１〜図４を参照して説明する。図１は本定規の平面図及びＡ−Ａ断面図である。図１において、本定規は円盤１の中心からそれぞれ異なる距離に多数の小穴を設け、これらの小穴にシャープペンシル等の筆記具の芯部を差し込み、円盤１を回転させながら紙面に円を描く定規である。円盤１はその中心部に回転軸２を備えており、かつ、その周辺部の上面には複数のベアリングボール４を入れる溝３を備えている。また、この円盤１は外枠５及び外枠底部６によりその周囲を囲まれている。外枠５はドーナツ型で、かつ、その外周部に側面を備えており、円盤１を上からかぶせるような形状になっている。外枠底部６もまたドーナツ型で外枠５の下側に固定されている。紙押さえ７もまたドーナツ型で外枠底部６の下側に固定されている。また、外枠５の上部下側にはベアリングボール４がちょうどはまるように、その周辺に沿って下向きに凹型の溝８が設けられている。円盤１及び回転軸２は、円を描く際に紙面が見えるように透明なプラスチックで作られている。また、紙押さえ７は伸縮する海綿体（スポンジ）又はゴム等の弾性体で作られている。円盤１には円の半径を１ｍｍ単位で描けるように小穴を設けてあるが、０．５ｍｍ単位で描くこともできるので精密な円を描くことができる。また、円盤１の大きさとして半径５０ｍｍまで描けるようにしてあるが、この大きさも自由に決めることができる。
【０００９】
図２は図1におけるＡ−Ａ断面図の部分拡大図である。図２（ａ）は本定規を紙面の上に置いた状態を表した図であり、外枠を上から手で押し下げる前の状態である。図２（ｂ）は本定規を紙面の上に置き、外枠を上から手で押し下げた後の状態を表した図である。図２（ａ）において、円盤１は外枠底部６の上に乗った状態になっており、ボールベアリング４と外枠５の上面下側に下向きに設けた凹型の溝８の底部との間にはわずかな隙間（遊び）αができるようになっている。また、回転軸２の先端と紙面との間にも隙間（遊び）βがあり、回転軸２の先端と紙面とが接触しないようになっているため、本定規を紙面の上に置いて紙面上を移動させたときに、回転軸２の先端が紙面にひっかかることなくスムーズに動くようになっている。
【００１０】
図２（ｂ）において、外枠を上から手で押し下げることにより、紙押さえ７が紙面をしっかりと押さえるとともに、紙押さえ７がスポンジでできているため縮むことから回転軸２の先端と紙面との間の隙間（遊び）βがなくなり双方が接触する。さらに押し下げることにより、外枠底部６の上に乗っていた円盤１は外枠底部６から離れ円盤１と外枠底部６とのの間に隙間ができ、一方で、ベアリングボール４と外枠５に設けた凹型の溝８の底部との間の隙間（遊び）αがなくなり双方が接触する。さらに手で押し下げた力がベアリングボール４を介して円盤１に伝わり、その力が回転軸２に伝わり、回転軸２の先端がピンポイントで紙面を押しつけ、紙面に食い込みγを作る。これら一連の作用により、紙面をしっかりと押さえるとともに、円の中心位置を固定し、さらに円盤１と外枠底部６とが接触しなくなるため、ベアリングが有効に働き円盤１がスムーズに回転し、円を迅速にかつ正確に描くことができるようになる。なお、回転軸２の先端はこれを紙面に押し付けることにより円の中心位置を固定できれば良いのであまり尖らせる必要はなく、このためコンパスの針のように紙面に穴を開けるようなことはあまりない。また、このため児童生徒にとってもあまり危険ではない。なお、隙間（遊び）α、β、及び食い込みγはいずれも０．５ｍｍから１ｍｍ程度あればよいので、紙押さえ７は最大でも３ｍｍ程度縮むことができればよい。
【００１１】
図３は円盤１の平面図とＡ−Ａ断面図である。円盤１の中心部に回転軸２を備えており、円盤１の周辺部の上面にベアリングボール４を入れる溝３を備えている。円盤１と回転軸２とは透明なプラスチックで作られている。
【００１２】
図４は外枠５、外枠底部６及び紙押さえ７の平面図と正面図である。外枠５の下側には外枠底部６が固定されており、さらに、外枠底部６の下側に紙押さえ７が固定されている。紙押さえ７は伸縮する海綿体（スポンジ）又は、ゴム等の弾性体で作られている。
【図面の簡単な説明】
【００１３】
【図１】本発明の実施例に係る円を描く定規の平面図及びＡ−Ａ断面図
【図２】図１におけるＡ−Ａ断面図の部分拡大図
【図３】円盤１の平面図及びＡ−Ａ断面図
【図４】外枠５、外枠底部６及び紙押さえ７の平面図及び正面図
【符号の説明】
【００１４】
１  円盤
２  回転軸
３  円盤に設けた凹型の溝
４  ベアリングボール
５  外枠
６  外枠底部
７  紙押さえ
８  外枠に設けた凹型の溝
α  ベアリングボールと外枠に設けた凹型の溝との隙間（遊び）
β  紙面と回転軸の先端との隙間（遊び）
γ  回転軸の紙面への食い込み
【図１】
2010125815.tif 000003
【図２】
2010125815.tif 000004
【図３】
2010125815.tif 000005
【図４】
2010125815.tif 000006